(57)【要約】      （修正有）【課題】発光体の色やパターンの変更、スピーカからの音楽や案内、小型カメラによる監視をコンピュータ制御機器とリモコンやネットワークを利用し遠隔操作により制御し、設定、変更することが可能な電子回路実装式額を提供する。【解決手段】額(1)に制御回路、コンピュータ制御機器またはそれらの組み合わせを設け、ＬＥＤなどの発光体により額の自己照射による発光ゾーン(8)をつくり、表示物(7)へのライトアップや、表示物への照明の色合いとの相乗効果により額の装飾効果向上を図り、リモコン(6)やネットワークを利用し環境変更、機能更新を行うことができるようにした。更に、額(1)にスピーカ(4)を実装させることによる聴覚効果や額に小型ＣＣＤカメラ(9)を実装させることにより監視カメラと監視室を連携したセキュリティー対策を行った。【選択図】図１
2007289591.tif 000002
【特許請求の範囲】
【請求項１】
額（１）に制御回路（２ａ）、コンピュータ制御機器（２ｂ）またはそれらの組み合わせと発光体（３）（３′）、スピーカ（４）（４′）、ネットワーク回路（５）、小型カメラ（９）またはそれらの組み合わせを接続し設けた電子回路実装式額
【発明の詳細な説明】
【技術分野】
【０００１】  本発明は、絵画、写真または工作物などの表示物を展示するために利用する額にＬＥＤなどの発光体、スピーカ、制御回路、コンピュータ制御機器又はそれらを組み合わせた機能を取り付け、発光体の色やパターンの変更、スピーカからの音楽や音声の制御などをコンピュータ制御機器などからリモコンやネットワークを利用し遠隔操作により制御し、設定、変更することが可能な電子回路実装式額に関するものである。
【背景技術】
【０００２】  従来の表示物を展示するために使用する額は、表示物そのものを収納し全体構図を引き締めるための枠を装備する程度にすぎなかった。【０００３】  また、コンピュータや液晶ディスプレイなどを利用し、コンピュータで作成したデジタル絵画やデジタル写真を画像として表示し、液晶ディスプレイの周辺をデジタル画像の一部として額縁状の模様を表すもの（特許文献１  参照）、やプリンターで印刷した写真、絵画などの画像を飾る印字機能付き額のアイデアもあった（特許文献２  参照）が、それらは、本発明による絵画や写真または工作物などの表示物を飾るために使用する電子回路実装式額とは異なるものであった。【０００４】
【特許文献１】  特許公開２００４−１４０７７１号公報
【特許文献２】  特許公開２００６−５５２１５号公報
【発明の開示】
【発明が解決しようとする課題】
【０００５】  以上に述べた従来の額では、表示物を展示し鑑賞するとき、表示物を引き立たせるために額に実装した発光体で彩を施したり、額に発光体を取り付け発光体の色や点滅パターンの変化による視覚効果を挙げているものはなかった。【０００６】  従来利用されている額は、表示物の視覚効果を向上させるためには、投光型の間接照明により適度な光量調整を行うことが必要であったが、投光型の間接照明では瞬時に照明の色を変えたり、光量の微調整を行うには困難であった。また、音楽や音声を流すための装置は独立したスピーカを設けるため不便であり監視カメラなどは天井や壁に取り付けるため鑑賞者に不快感を与えるなどの欠点があった。【０００７】本発明は以上のような、額と投光型の照明や外部スピーカ、監視カメラを利用した表示物の展示方法による欠点を取り除き、額に制御回路、コンピュータ制御機器を付加し、額に付加価値を与えるために発明された電子回路実装式額に関するものである。
【課題を解決するための手段】
【０００８】  本発明は、額（１）に制御回路（２ａ）、コンピュータ制御機器（２ｂ）またはそれらの組み合わせとＬＥＤなどの発光体（３）（３′）、スピーカ（４）（４′）、ネットワーク端子（５）、小型カメラ（９）またはそれらの組み合わせを設ける。【０００９】  リモコン（６）やネットワークを利用し発光体の色や輝度、点滅状態など環境変更、機能変更、機能強化などを行うためのプログラムを有し、絵画、写真または工作物などの表示物（７）の周辺に設けたＬＥＤなどの発光体（３）（３′）を利用し額（１）をライトアップさせた発光ゾーン（８）を作り出し、発光体（３）（３′）の色や点灯状態を任意に変化させ、タイマーで時間を調整できる機能やプログラムを有する。
以上を特徴とする電子回路実装式額である。
【発明の効果】
【００１０】  本発明は、額（１）に制御回路（２ａ）、プログラムを有するコンピュータ制御機器（２ｂ）またはそれらの組み合わせとＬＥＤなどの発光体（３）（３′）、スピーカ（４）（４′）、ネットワーク端子（５）またはそれらの組み合わせを接続し、リモコン（６）またはネットワークを利用し発光体の色や輝度、点滅状態など環境変更、機能変更、機能強化などを行い、絵画、写真または工作物などの表示物（７）をＬＥＤなどの発光体（３）（３′）からライトアップした発光ゾーン（８）を作り出し、発光体（３）（３′）をタイマーで任意に変化させたりすることで展示室や展示場の景観の演出ができるなど見学者の注目度を向上させ表示物（７）の価値を高めることができる。また、額（１）の発光体（３）（３′）を間接照明の代わりとして利用することができる利点がある。【００１１】  本発明の実施形態の電子回路実装式額は、小型カメラ（９）を額（１）に実装しネットワークに接続することでオフィス、店舗及び展示場などのセキュリティ対策に利用することができ、それらを監視室または警備保障会社などと接続し警備の連携をすることができる利点がある。【００１２】  本発明の額（１）に、スピーカ（４）（４′）を取り付けることにより聴覚効果を提供することができ、主たる作品の鑑賞価値を向上させることが出来るなどの利点がある。
【発明を実施するための最良の形態】
【００１３】以下、本発明の実施の形態を図１から図３に基づいて説明する。
（イ）    長方形、正方形又は多角形からなる額（１）であって、額（１）に納                  めた表示物（７）の邪魔にならない適当な位置に制御回路（２ａ）、                  コンピュータ制御機器（２ｂ）またはそれらの組み合わせと、額（１                  ）の縁側に位置し、額（１）の表面、裏面又は両面にＬＥＤなどの発                  光体（３）（３′）を配置する。
（ロ）    額（１）の適当な位置にスピーカ（４）（４′）、ネットワーク端子                  （５）、小型カメラ（９）またはそれらの組み合わせを設ける。
（ハ）    制御回路（２ａ）、コンピュータ制御機器（２ｂ）またはそれらの組                  み合わせとＬＥＤなどの発光体（３）（３′）、スピーカ（４）、（                  ４′）ネットワーク端子（５）、小型カメラ（９）またはそれらの組                  み合わせを電気ケーブルで配線し電気回路を形成する。
（ニ）    額（１）にネットワーク端子（５）を取り付け電気ケーブルでコンピ                  ュータ制御機器（２ｂ）のネットワーク回路と接続する。
（ホ）    額（１）に設けた発光体（３）（３′）、スピーカ（４）（４′）、                  小型カメラ（９）またはそれらの組み合わせからなる電子回路実装式                  額を外部から操作可能なリモコン（６）、ネットワーク、無線ＬＡＮ                  またはそれらの組み合わせ回路と連携する。
（ヘ）    発光体（３）（３′）、スピーカ（４）（４′）、ネットワーク、小                  型カメラ（９）またはそれらの組み合わせを機能させる電子回路また                  はソフトウエア  プログラムを制御回路（２ａ）、コンピュータ制御                  機器（２ｂ）またはそれらの組み合わせに導入する。
本発明は、以上のような構造であるのでこれを使用するときは、額（１）に絵画、写真または工作物などの表示物（７）を納め、額（１）を壁や柱などに吊るしまたは、展示台に設置し、リモコン（６）、ネットワーク、無線ＬＡＮまたはそれらの組み合わせを使用し遠隔操作により、額（１）に実装した発光体（３）（３′）を発光させ額（１）周辺の発光ゾーンの形成によるライトアップや発光体の色を変え表示物に色合いを持たせ表示物や額全体を引き立たせ展示する。
また、額（１）に実装したスピーカ（４）（４′）を利用し表示物の説明を流したり、音楽を流すことも出来る。取り付けた小型カメラでは展示場の様子を映し出し監視カメラとして利用することができる。
【図面の簡単な説明】
【００１４】
【図１】  本発明の実施による表側のリモコン付きの図
【図２】  本発明の実施による裏側の図
【図３】  本発明の実施による発光ゾーンの形成図
【符号の説明】
【００１５】１    額
２ａ  制御回路
２ｂ  コンピュータ制御機器
３    発光体
４    スピーカ
５    ネットワーク端子
６    リモコン
７    表示物
８    発光ゾーン
９    小型カメラ
【図１】
2007289591.tif 000003
【図２】
2007289591.tif 000004
【図３】
2007289591.tif 000005